(57)【特許請求の範囲】
【請求項１】
データファイルを取得するファイル取得手段と、
データファイルが作成された作成位置を取得する作成位置取得手段と、
任意の位置を特定位置として記憶する特定位置記憶手段と、
前記特定位置から所定の距離内の範囲を特定範囲として記憶する特定範囲記憶手段と、
データファイルを記録するための複数のデータ領域を有する記録手段とを備え、
前記特定位置記憶手段は複数の特定位置を記憶し、前記複数の特定位置には優先順位が設けられ、
前記特定範囲記憶手段は複数の特定範囲を記憶し、前記複数の特定範囲には優先順位が設けられ、
前記記録手段は、前記特定位置ごとおよび前記特定範囲ごとにデータ領域を有し、前記作成位置と前記特定位置と前記特定範囲との位置関係に応じて、取得した前記データファイルを記録する記録領域を前記データ領域の中から決定し、決定した前記記録領域に前記データファイルを記録するデータファイル整理装置。
【請求項２】
前記記録手段は、前記作成位置が前記複数の特定範囲の重複範囲にあるか否かを判定し、
前記作成位置が前記重複範囲にあるとき、前記優先順位にもとづいて前記特定範囲を決定したのち、前記特定範囲に前記特定位置があるか否かを判定し、
前記特定範囲に前記特定位置がないとき、取得した前記データファイルを前記特定範囲に対応するデータ領域に記録し、
前記特定範囲に複数またはひとつの前記特定位置があるとき、取得した前記データファイルを前記優先順位にもとづいて前記特定位置に対応するデータ領域に記録する請求項１に記載のデータファイル整理装置。
【請求項３】
前記優先順位は、前記複数の特定位置のうち、前記作成位置と最も距離が短い特定位置に対応するデータ領域を、記録領域として決定する請求項１又は２に記載のデータファイル整理装置。
【請求項４】
任意の位置を入力する位置入力手段をさらに備え、
前記特定位置記憶手段は、前記位置入力手段により入力された任意の位置を特定位置として記憶する請求項１から３に記載のデータファイル整理装置。
【請求項５】
前記位置関係を決定するための決定手段をさらに備える請求項１から４に記載のデータファイル整理装置。
【請求項６】
前記作成位置を測定するＧＰＳ手段をさらに備え、前記作成位置取得手段は前記ＧＰＳ手段から作成位置を取得する請求項１から５に記載のデータファイル整理装置。
【請求項７】
前記データファイル整理装置が現在位置する現在位置を測定するＧＰＳ手段をさらに備え、前記特定位置記憶手段は前記ＧＰＳ手段から現在位置を取得して、現在画像記録装置が位置する場所を特定位置として記憶する請求項１から６に記載のデータファイル整理装置。
【請求項８】
前記特定位置記憶手段は、既存の地物の位置を地物位置として記憶し、
前記記録手段は、前記地物位置に対応するデータ領域を有し、前記地物位置と前記作成位置との距離が所定範囲内にあるときに、その地物位置に対応するデータ領域を記録領域として決定する請求項１から７に記載のデータファイル整理装置。
【請求項９】
請求項１から８に記載のデータファイル整理装置と、
被写体像を撮像して画像ファイルを作成する撮像手段とを備え、
前記ファイル取得手段は、前記データファイルとして前記画像ファイルを取得する画像記録装置。
【請求項１０】
画像が撮像された位置を画像ファイルの作成位置として決定するＧＰＳ手段をさらに備える請求項９に記載の画像記録装置。
【請求項１１】
データファイルを取得するファイル取得手段と、
データファイルが作成された作成位置を取得する作成位置取得手段と、
任意の位置を特定位置として記憶する特定位置記憶手段と、
前記特定位置から所定の距離内の範囲を特定範囲として記憶する特定範囲記憶手段と、
データファイルを記録するための複数のデータ領域を有する記録手段とを備え、
前記特定位置記憶手段は複数の特定位置を記憶し、前記複数の特定位置には優先順位が設けられ、
前記特定範囲記憶手段は複数の特定範囲を記憶し、前記複数の特定範囲には優先順位が設けられ、
前記記録手段は、前記特定位置ごとおよび前記特定範囲ごとにデータ領域を有し、前記作成位置と前記特定位置と前記特定範囲との距離関係に応じて、取得したデータファイルを記録する記録領域を前記データ領域の中から決定し、決定した前記記録領域に前記データファイルを記録するデータファイル整理システム。
【請求項１２】
データファイルを取得するファイル取得ステップと、
データファイルが作成された作成位置を取得する作成位置取得ステップと、
任意の位置を特定位置として記憶する特定位置記憶ステップと、
前記特定位置から所定の距離内の範囲を特定範囲として記憶する特定範囲記憶ステップと、
前記特定位置記憶ステップは複数の特定位置を記憶し、前記複数の特定位置に優先順位を設け、
前記特定範囲記憶ステップは複数の特定範囲を記憶し、前記複数の特定範囲に優先順位を設け、
前記作成位置と前記特定位置と前記特定範囲との距離関係に応じて、取得した前記データファイルを記録する記録領域を複数のデータ領域の中から決定する記憶領域決定ステップと、
決定した前記記録領域に前記データファイルを記録する記録ステップとを備えるデータファイル整理方法。                                                                               
【発明の詳細な説明】
【技術分野】
【０００１】
本発明は、ＧＰＳ情報を用いてデータファイルを整理するデータファイル整理装置、システム、及び方法、並びに画像記録装置に関する。
【背景技術】
【０００２】
ＧＰＳ情報を用いて画像を所定のフォルダに振り分ける装置が知られている。この装置は、行政区域ごとに作成されたフォルダを有し、画像の撮影位置が属する行政区域に対応するフォルダに画像を振り分ける。より詳しく説明すると、ＧＰＳの衛星からの電波を受信して、画像を撮影した位置情報を取得し、この位置情報を住所データに変換する。そして、住所データが属する行政区域のフォルダに、画像を振り分ける（特許文献１）。
【先行技術文献】
【特許文献】
【０００３】
【特許文献１】特開２００３−２８３９８５号公報
【発明の概要】
【発明が解決しようとする課題】
【０００４】
しかし、住所データをもとに画像を振り分けると、ユーザの行動範囲に応じて画像を振り分けることができない。すなわち、行政区域の境界付近、例えば県境や国境付近に住んでいるユーザは、複数の行政区域に跨がった地域を行動範囲あるいは生活範囲としていることがある。このようなユーザが撮影した画像を住所データに基づいて振り分けると、１つの行動範囲等で撮影された画像であるにもかかわらず、複数のフォルダに分散して記録されることになる。このように記録された画像をユーザが参照するとき、ユーザは複数のフォルダを開けて画像を参照しなければならず、操作の手数が増えたり、操作が煩雑になったりして、ユーザに不要な負担をかけることになる。
【０００５】
本発明はこれらの問題を鑑みてなされたものであり、データファイルを自動的に整理することが可能なデータファイル整理装置、システム、及び方法、並びに画像記録装置を得ることを目的とする。
【課題を解決するための手段】
【０００６】
本願第１の発明によるデータファイル整理装置は、データファイルを取得するファイル取得手段と、データファイルが作成された作成位置を取得する作成位置取得手段と、任意の位置を特定位置として記憶する特定位置記憶手段と、データファイルを記録するための複数のデータ領域を有する記録手段とを備え、記録手段は、作成位置と特定位置との位置関係に応じて、取得したデータファイルを記録する記録領域をデータ領域の中から決定し、決定した記録領域にデータファイルを記録することを特徴とする。
【０００７】
記録手段は、特定位置ごとにデータ領域を有し、作成位置と特定位置との距離が所定範囲内にあるときに、その特定位置に対応するデータ領域を記録領域として決定することが好ましい。
【０００８】
特定位置記憶手段は複数の特定位置を記憶し、複数の特定位置には優先順位が付けられ、記録手段は、特定位置ごとにデータ領域を有し、作成位置と特定位置との距離が所定範囲内にあるときに、その特定位置に対応するデータ領域を記録領域として決定する処理を、特定位置の優先順位に応じて行うことが好ましい。
【０００９】
特定位置記憶手段は複数の特定位置を記憶し、記録手段は特定位置ごとにデータ領域を有し、複数の特定位置のうち、作成位置と最も距離が短い特定位置に対応するデータ領域を、記録領域として決定しても良い。
【００１０】
任意の位置を入力する位置入力手段をさらに備え、特定位置記憶手段は、位置入力手段により入力された任意の位置を特定位置として記憶することが好ましい。
【００１１】
位置関係を決定するための決定手段をさらに備えることが好ましい。
【００１２】
作成位置を測定するＧＰＳ手段をさらに備え、作成位置取得手段はＧＰＳ手段から作成位置を取得することが好ましい。
【００１３】
データファイル整理装置が現在位置する現在位置を測定するＧＰＳ手段をさらに備え、特定位置記憶手段はＧＰＳ手段から現在位置を取得して、現在画像記録装置が位置する場所を特定位置として記憶してもよい。
【００１４】
特定位置記憶手段は、既存の地物の位置を地物位置として記憶し、記録手段は、地物位置に対応するデータ領域を有し、地物位置と作成位置との距離が所定範囲内にあるときに、その地物位置に対応するデータ領域を記録領域として決定することが好ましい。
【００１５】
本願第２の発明による画像記録装置は、前記データファイル整理装置と、被写体像を撮像して画像ファイルを作成する撮像手段とを備え、ファイル取得手段は、データファイルとして画像ファイルを取得することを特徴とする。
【００１６】
前記画像記録装置は、画像が撮像された位置を画像ファイルの作成位置として決定するＧＰＳ手段をさらに備えることが好ましい。
【００１７】
本願第３の発明によるデータファイル整理システムは、データファイルを取得するファイル取得手段と、データファイルが作成された作成位置を取得する作成位置取得手段と、任意の位置を特定位置として記憶する特定位置記憶手段と、データファイルを記録するための複数のデータ領域を有する記録手段とを備え、記録手段は、作成位置と特定位置との距離に応じて、取得したデータファイルを記録する記録領域をデータ領域の中から決定し、決定した記録領域にデータファイルを記録することを特徴とする。
【００１８】
本願第４の発明によるデータファイル整理方法は、データファイルを取得するファイル取得ステップと、データファイルが作成された作成位置を取得する作成位置取得ステップと、作成位置と特定位置との距離に応じて、取得したデータファイルを記録する記録領域を複数のデータ領域の中から決定する記憶領域決定ステップと、決定した記録領域にデータファイルを記録する記録ステップとを備えることを特徴とする。
【発明の効果】
【００１９】
本発明によれば、データファイルを自動的に整理することが可能なデータファイル整理装置、システム、及び方法、並びに画像記録装置を得る。
【図面の簡単な説明】
【００２０】
【図１】データファイル整理装置を備える画像記録装置を概略的に示したブロック図である。
【図２】フォルダ構造を示した図である。
【図３】画像の振り分けを概念的に示した図である。
【図４】画像整理処理を示したフローチャートである。
【図５】登録処理を示したフローチャートである。
【図６】削除処理を示したフローチャートである。
【発明を実施するための形態】
【００２１】
以下、本発明によるデータファイル整理装置１００を備える画像記録装置２００について添付図面を参照して説明する。まず、図１を用いて画像記録装置２００の構成について説明する。
【００２２】
画像記録装置２００は、いわゆるデジタルカメラであって、ＣＭＯＳイメージセンサであるＣＩＳ２０１と、ＣＩＳ２０１に被写体像を結像させるレンズ２０２と、ＣＩＳ２０１から画像信号を受信するＤＳＰ１０１と、ＤＳＰ１０１から受信したデータを保存する内部メモリ１０２と、画像データを記録する外部メモリ１０３と、画像記録装置２００の現在位置を測定するＧＰＳ部材２０３と、ＤＳＰ１０１に操作信号を入力するスイッチ２０４と、ＤＳＰ１０１が出力した情報を表示するモニタ２０５とを備える。内部メモリ１０２はフラッシュメモリから成り、外部メモリ１０３はＳＤカードなどの画像記録装置２００から着脱自在に設けられるメモリカードである。
【００２３】
画像記録装置２００の基本的な動作について説明する。ユーザがスイッチ２０４を操作すると、ＣＩＳ２０１が被写体像を撮像して、画像信号をＤＳＰ１０１に送信する。ＤＳＰ１０１は、内部メモリ１０２に一時的に画像信号を保存しながら画像信号を処理してデータファイルを作成する。ＣＩＳ２０１が被写体像を撮像したとき、ＧＰＳ部材２０３は画像記録装置２００の現在位置を測定して、ＤＳＰ１０１に送信する。この現在位置は、データファイルが作成された作成位置である。そして、ＤＳＰ１０１は、データファイルの内部に作成位置を記録する。データファイルはＤＳＰ１０１から外部メモリ１０３に出力される。外部メモリ１０３は、データファイルを記録するための複数のデータ領域を有し、データファイルを各データ領域に分けて記録する。また、ユーザがスイッチ２０４を操作したとき、ＤＳＰ１０１は外部メモリ１０３からデータファイルを読み出して、モニタ２０５に表示させる。ＧＰＳ部材２０３は、作成位置を測定するＧＰＳ手段として動作する。
【００２４】
データファイル整理装置１００は、ＤＳＰ１０１、内部メモリ１０２、及び外部メモリ１０３から主に構成される。すなわち、ＤＳＰ１０１は、データファイルを取得するファイル取得手段、データファイルが作成された作成位置を取得する作成位置取得手段として動作するとともに、被写体像を撮像して画像ファイルを作成する撮像手段の一部として動作する。外部メモリ１０３は、データファイルを記録するための複数のデータ領域を有する記録手段として動作し、内部メモリ１０２は、任意の位置を特定位置として記憶する特定位置記憶手段として動作する。特定位置は、ユーザが予めデータファイル整理装置１００に登録するユーザ登録情報、又は予めデータファイル整理装置１００が記憶しているランドマーク登録情報の一要素である。ユーザ登録情報は、ユーザが希望する任意の位置、領域、及び名称を有するデータであって、優先順位が付けられる。この任意の位置をユーザ登録位置、領域をユーザ登録領域、名称をユーザ登録名称と呼ぶ。ユーザ登録位置、ユーザ登録領域、ユーザ登録名称、及び優先順位は、後述する登録処理を用いてユーザがスイッチ２０４を操作することにより内部メモリ１０２に登録され、あるいは、後述する削除処理によって削除される。すなわちスイッチ２０４は、ユーザ登録位置、ユーザ登録領域、ユーザ登録名称、及び優先順位を入力する位置入力手段として動作する。ランドマーク登録情報は、著名な地物の位置、領域、名称、優先順位を有するデータであって、データファイル整理装置１００の出荷時において内部メモリ１０２に予め記憶され、あるいはファームウェアのアップデート等に用いられる手段と同様の手段によって、出荷後に追加、削除、及び書き換えられる。この任意の位置をランドマーク登録位置、領域をランドマーク登録領域、名称をランドマーク名称と呼ぶ。
【００２５】
次に、データファイル整理装置１００が外部メモリ１０３にデータファイルを記憶させる画像整理処理の概略について図２及び３を用いて説明する。
【００２６】
図２は、ユーザ登録位置とランドマーク登録位置と作成位置との位置関係を示した図である。第１ユーザ登録位置３３は第１ユーザ登録情報に対応し、その周囲には第１ユーザ登録領域４３が設けられ、第２ユーザ登録位置３４は第２ユーザ登録情報に対応し、その周囲には第２ユーザ登録領域４４が設けられる。第１ユーザ登録領域４３は、第１ユーザ登録位置３３から所定の距離Ｘａまでの範囲である。第２ユーザ登録領域４４は、第２ユーザ登録位置３４から所定の距離Ｘｂまでの範囲である。第２ランドマーク登録位置３６は第２ランドマーク登録情報に対応し、その周囲には第２ランドマーク登録領域４６が設けられる。第２ランドマーク登録領域４６は、第２ランドマーク登録情報の範囲を表す。例えば第２ランドマーク登録情報が公園を示す場合、第２ランドマーク登録領域４６は公園の敷地と一致する。第３ランドマーク登録位置３７は第３ランドマーク登録情報に対応し、その周囲にも同様に第３ランドマーク登録領域４７が設けられる。
【００２７】
図３は、外部メモリ１０３のフォルダ構造を示す。外部メモリ１０３のルートフォルダにはＤＣＩＭフォルダ２０が設けられ、データフォルダを保存するための複数のフォルダがＤＣＩＭフォルダ２０の中に設けられる。図３において設けられるフォルダは、日付ごとに作成される日付フォルダ２１、２２と、第１ユーザフォルダ２３及び第２ユーザフォルダ２４と、第２、３ランドマークフォルダ２６、２７である。第１ユーザフォルダ２３及び第２ユーザフォルダ２４は、第１ユーザ登録情報及び第２ユーザ登録情報に各々対応し、後述する登録処理によって作成され、後述する削除処理によって削除される。第２、３ランドマークフォルダ２６、２７は、第２、３ランドマーク登録情報に各々対応し、後述する画像整理処理において作成される。ランドマークフォルダは、対応するランドマーク登録位置がユーザ登録領域の中に位置する場合、そのユーザ登録領域に対応するユーザフォルダ内に設けられる。つまり第２ランドマーク登録位置３６が第２ユーザ登録領域４４内に存在するため、第２ランドマークフォルダ２６は第２ユーザフォルダ２４の中に設けられる。第３ランドマークフォルダ２７は、いずれのユーザ登録領域内にも位置しないため、ＤＣＩＭフォルダ２０の下に設けられる。
【００２８】
データファイルを保存するフォルダは、ユーザ登録位置、ランドマーク登録位置、及び作成位置の位置関係、すなわちユーザ登録情報若しくはランドマーク登録情報の優先順位、又はユーザ登録情報若しくはランドマーク登録情報と作成位置との距離において決定される。ＤＳＰ１０１は、位置関係を決定するための決定手段として機能する。
【００２９】
ユーザ登録情報又はランドマーク登録情報は、優先順位で保存フォルダを決定するか、あるいは作成位置との距離によって保存フォルダを決定するかを決定するかを示す保存フォルダ決定情報を有する。保存フォルダ決定情報は、後述する登録処理によって決定される。
【００３０】
まず、ユーザ登録情報の優先順位に応じて保存フォルダを決定する処理について説明する。優先順位で保存フォルダを決定するという保存フォルダ決定情報をユーザ登録情報が有する場合、この処理が実行される。作成位置が複数のユーザ登録領域に属する場合、もっとも優先順位の高いユーザ登録情報に対応するユーザ登録領域に作成位置が属するものとする。そして、このユーザ登録情報に対応するユーザフォルダにデータファイルを保存する。
【００３１】
第１ユーザ登録情報が第２のユーザ登録情報よりも高い優先順位を持つ場合について説明する。第１ユーザ登録領域４３と第２ユーザ登録領域４４の双方に作成位置Ｐが位置する場合、優先順位の高い第１ユーザ登録領域４３に作成位置が属するものとし、データファイルは第１ユーザフォルダ２３に保存される。
【００３２】
第２ユーザ登録情報が第１のユーザ登録情報よりも高い優先順位を持つ場合について説明する。第１ユーザ登録領域４３と第２ユーザ登録領域４４の双方に作成位置Ｐが位置する場合、優先順位の高い第２ユーザ登録領域４４に作成位置が属するものとする。ここで第２ユーザ登録領域４４には、第２ランドマーク登録位置３６が存在する。この場合、データファイルは第２ランドマークフォルダ２６に保存されて、第２ユーザフォルダ２４に保存されない。
【００３３】
ユーザが、最も優先順位が高いユーザ登録情報として自宅を設定し、かつユーザの行動範囲をユーザ登録領域として設定すれば、行動範囲内で撮影した画像が全て同じフォルダへ自動的に保存される。さらに、ユーザ登録領域内にランドマークが存在するときには、ランドマークごとに異なるフォルダに画像が保存される。
【００３４】
次に、作成位置とユーザ登録位置との距離順位に応じて保存フォルダを決定する処理について説明する。作成位置とユーザ登録位置との距離に応じて保存フォルダを決定するという保存フォルダ決定情報をユーザ登録情報が有する場合、この処理が実行される。この処理では、作成位置とユーザ登録位置との距離を求め、距離が最も短いユーザ登録位置に対応するユーザフォルダにデータファイルを保存する。つまり、作成位置Ｐが第２ユーザ登録位置３４よりも第１のユーザ登録位置に近い場合、データファイルは第１ユーザフォルダ２３に保存される。
【００３５】
他方、距離が最も短いユーザ登録位置に対応するユーザ登録領域内にランドマーク登録位置が存在する場合、そのユーザ登録位置に対応するユーザフォルダでなく、ランドマークフォルダにデータファイルを保存する。つまり、作成位置Ｑが第１ユーザ登録位置３３よりも第２のユーザ登録位置に近い場合、第２ユーザ登録領域４４に作成位置Ｑが位置するものとする。ここで第２ユーザ登録領域４４には、第２ランドマーク登録位置３６が存在する。この場合、データファイルは第２ランドマークフォルダ２６に保存されて、第２ユーザフォルダ２４に保存されない。
【００３６】
ユーザが、自分の行動範囲をユーザ登録領域として設定したとき、行動範囲内で撮影した画像が全て同じフォルダへ自動的に保存される。さらに、撮影した位置が複数のユーザ登録領域内に位置するときには、最もユーザ登録位置に近いユーザフォルダに画像が保存される。
【００３７】
次に、図４を用いて画像整理処理について説明する。画像整理処理は、ＤＳＰ１０１がデータファイルを受信したときに実行され、データファイルを保存するフォルダを決定する。第１ユーザ登録情報が第２ユーザ登録情報よりも高い優先順位を持つとして説明する。
【００３８】
まず、ステップＳ４０１において、ユーザ登録領域が重なるユーザ登録情報が存在するか否かについて判断する。存在する場合、処理はステップＳ４１１に進み、存在しない場合、処理はステップＳ４０２に進む。
【００３９】
まず、ユーザ登録領域が重なるユーザ登録情報が存在しない場合について、作成位置が第１ユーザ登録領域４３内に位置する例をもって説明する。ステップＳ４０２では、第１ユーザ登録位置３３と作成位置との距離Ｄ１を算出する。
【００４０】
次のステップＳ４０３では、距離Ｄ１が所定の距離Ｘａ以下であるか否かを判断する。所定の距離Ｘａ以下である場合、作成位置が第１ユーザ登録領域４３内に位置すると判断してステップＳ４０４に進む。所定の距離Ｘａ以下でない場合、作成位置が第１ユーザ登録領域４３内に位置しないと判断してステップＳ４１４に進む。
【００４１】
ステップＳ４０４では、作成位置がランドマーク登録領域内に位置するか否かを判断する。位置する場合、処理はステップＳ４０５に進み、位置しない場合、処理はステップＳ４０６に進む。
【００４２】
作成位置がランドマーク登録領域内に位置する場合、ステップＳ４０５において、第１ユーザフォルダ２３内に設けられているランドマークフォルダにデータファイルを保存する。他方、作成位置がランドマーク登録領域内に位置しない場合、ステップＳ４０６において、第１ユーザフォルダ２３にデータファイルを保存する。そして、処理を終了する。
【００４３】
ステップＳ４０３において距離Ｄ１が所定の距離Ｘａ以下でない場合、作成位置が第１ユーザ登録領域４３内に位置しないため、第１ユーザ登録位置３３の次の優先順位をもつ第２ユーザ登録位置３４と作成位置との位置関係をステップＳ４１４において算出する。つまり、ステップＳ４１４において、第２ユーザ登録位置３４と作成位置との距離Ｄ２を算出する。
【００４４】
次のステップＳ４１５では、距離Ｄ２が所定の距離Ｘｂ以下であるか否かを判断する。所定の距離Ｘｂ以下である場合、作成位置が第２ユーザ登録領域４４内に位置すると判断してステップＳ４１６に進む。所定の距離Ｘｂ以下でない場合、作成位置が第２ユーザ登録領域４４内に位置しないと判断してステップＳ４２１に進む。
【００４５】
ステップＳ４１６では、第２ランドマーク登録領域４６内に作成位置が位置するか否かを判断する。位置する場合、処理はステップＳ４１７に進み、位置しない場合、処理はステップＳ４１８に進む。
【００４６】
第２ランドマーク登録領域４６内に作成位置が位置する場合、ステップＳ４１７において、第２ユーザフォルダ２４内に設けられている第２ランドマークフォルダ２６にデータファイルを保存する。他方、第２ランドマーク登録領域４６内に作成位置が位置しない場合、ステップＳ４１８において、第２ユーザフォルダ２４にデータファイルを保存する。そして、処理を終了する。
【００４７】
ステップＳ４１５において距離Ｄ２が所定の距離Ｘｂ以下でない場合、第２ユーザ登録領域４４内に作成位置が位置しない。そこで、他のランドマーク登録領域内に作成位置が位置するか否かをステップＳ４２１において判断する。ここで他のランドマーク登録領域は、図２に示される第３ランドマーク登録領域４７である。第３ランドマーク登録領域４７に作成位置が位置する場合、処理はステップＳ４２２に進み、位置しない場合、処理はステップＳ４２３に進む。
【００４８】
ステップＳ４２２において、第３ランドマークフォルダ２７にデータファイルを保存する。ステップＳ４２３では、データファイルが作成された日付に対応する日付フォルダにデータファイルを保存する。そして、処理を終了する。
【００４９】
ユーザ登録領域が重なるユーザ登録情報が存在しないとステップＳ４０１において判断した場合、ステップＳ４１１において、保存フォルダ決定情報を参照して、優先順位で保存フォルダを決定するか、あるいは作成位置との距離によって保存フォルダを決定するかを判断する。ユーザ登録情報の優先順位で保存フォルダを決定する場合、処理はステップＳ４０２に進み、前述したように保存フォルダを決定する。ユーザ登録位置と作成位置との距離で保存フォルダを決定する場合、処理はステップＳ４１２に進む。
【００５０】
ステップＳ４１２では、第１ユーザ登録位置３３と作成位置との距離Ｄ１、及び第２ユーザ登録位置３４と作成位置との距離Ｄ２を算出する。
【００５１】
次のステップＳ４１３では、距離Ｄ１が距離Ｄ２以下であるか否かを判断する。距離Ｄ２以下である場合、第１ユーザ登録領域４３の方が作成位置に近いと判断してステップＳ４０３に進み、前述したように保存フォルダを決定する。距離Ｄ２以下でない場合、第２ユーザ登録領域４４の方が作成位置に近いと判断してステップＳ４１５に進み、前述したように保存フォルダを決定する。そして、処理を終了する。
【００５２】
次に、図５を用いて登録処理について説明する。登録処理は、ユーザが所定のスイッチ２０４を操作したときにＤＳＰ１０１により実行され、ユーザ登録情報を内部メモリ１０２に記録する。
【００５３】
始めのステップＳ５１では、ユーザ登録情報の位置つまり緯度経度と、ユーザ登録名称と、ユーザ登録領域とを決定する所定の距離Ｘをユーザがスイッチ２０４を用いて入力する。
【００５４】
次のステップＳ５２では、他のユーザ登録情報が画像記録装置２００に登録されているか否かを判断する。登録されている場合、処理はステップＳ５３に進み、登録されていない場合、処理はステップＳ５５に進む。
【００５５】
ステップＳ５３では、ステップＳ５１において入力されたユーザ登録情報のユーザ登録領域が他のユーザ登録領域と重なっているか否かを判断する。重なっている場合、処理はステップＳ５４に進み、重なっていない場合、処理はステップＳ５５に進む。
【００５６】
ステップＳ５４では、保存フォルダ決定情報を設定する。すなわち、優先順位で保存フォルダを決定するという保存フォルダ決定情報、あるいは作成位置とユーザ登録位置との距離に応じて保存フォルダを決定するという保存フォルダ決定情報をユーザ登録情報としてデータファイルに書き込む。優先順位で判断する場合には、優先順位も同時に設定してデータファイルに書き込む。
【００５７】
ステップＳ５５では、ステップＳ５１において入力されたユーザ登録位置に対応するユーザフォルダを外部メモリ１０３に作成する。そして処理を終了する。
【００５８】
次に、図６を用いて削除処理について説明する。削除処理は、ユーザが所定のスイッチ２０４を操作したときにＤＳＰ１０１により実行され、ユーザ登録情報を内部メモリ１０２から削除する。
【００５９】
始めのステップＳ６１では、ユーザがスイッチ２０４を用いて指定した特定のユーザ登録情報を内部メモリ１０２から削除する。
【００６０】
次のステップＳ６２では、削除したユーザ登録情報に対応するユーザフォルダ内部にランドマークフォルダが存在するか否かを判断する。存在する場合、処理はステップＳ６３に進み、存在しない場合、処理はステップＳ６６に進む。
【００６１】
ステップＳ６３では、ステップＳ６２において存在を確認したランドマークフォルダに対応するランドマーク領域が、他のユーザ登録領域と重なっているか否かを判断する。重なっている場合、処理はステップＳ６４に進み、重なっていない場合、処理はステップＳ６５に進む。
【００６２】
ステップＳ６４では、ステップＳ６２において存在を確認したランドマークフォルダを、重なっているユーザ登録領域に対応するユーザフォルダの中に移動する。そしてステップＳ６６に進む。
【００６３】
ステップＳ６５では、ステップＳ６２において存在を確認したランドマークフォルダを上位のフォルダに移動する。図３に記載した例では、例えば第２ランドマークフォルダ２６をＤＣＩＭフォルダ２０に移動する。そしてステップＳ６６に進む。
【００６４】
ステップＳ６６では、削除したユーザ登録情報に対応するユーザフォルダの名称を通常の名称に変更する。例えば、そのユーザフォルダに最近保存されたデータファイルの作成日をフォルダの名称とする。そして処理を終了する。
【００６５】
本実施形態によれば、ユーザの行動範囲やランドマーク等に応じてデータファイルを自動的に整理することが可能となる。これにより、ユーザは画像を容易に参照することが出来る。
【００６６】
なお、ユーザ登録位置の緯度経度をＧＰＳ部材２０３から取得しても良い。ユーザが所定のスイッチ２０４を操作すると、画像記録装置２００がＧＰＳ部材２０３から現在位置の緯度経度を取得する。
【００６７】
また、外部メモリ１０３に作成されるフォルダは、日付フォルダ２１、２２、第１、２ユーザフォルダ２３、２４、そして第２、３ランドマークフォルダ２６、２７に限定されない。
【００６８】
保存フォルダ決定情報に関してはユーザ登録情報について説明したが、ランドマーク登録情報が保存フォルダ決定情報を有するものとして、ユーザ登録情報と同様の処理を行っても良い。
【符号の説明】
【００６９】
２０  ＤＣＩＭフォルダ
２１  日付フォルダ
２３  第１ユーザフォルダ
２４  第２ユーザフォルダ
２６  第２ランドマークフォルダ
２７  第３ランドマークフォルダ
３３  第１ユーザ登録位置
３４  第２ユーザ登録位置
３６  第２ランドマーク登録位置
３７  第３ランドマーク登録位置
４３  第１ユーザ登録領域
４４  第２ユーザ登録領域
４６  第２ランドマーク登録領域
４７  第３ランドマーク登録領域
１００  データファイル整理装置
１０１  ＤＳＰ
１０２  内部メモリ
１０３  外部メモリ
２００  画像記録装置
２０１  ＣＩＳ
２０２  レンズ
２０３  ＧＰＳ部材
２０４  スイッチ
２０５  モニタ
【図１】
0005891711.tif 000002
【図２】
0005891711.tif 000003
【図３】
0005891711.tif 000004
【図４】
0005891711.tif 000005
【図５】
0005891711.tif 000006
【図６】
0005891711.tif 000007